(57)【特許請求の範囲】
【請求項１】
着脱自在な外部メモリを装着可能に構成されると共に、前記外部メモリへの記録データの記録、および当該外部メモリに記録された記録データに基づく再生を行うディジタル式記録再生装置であって、
前記外部メモリを個別的に識別するための識別データを生成する識別データ生成部と、内部メモリと、前記外部メモリに対する前記記録データの記録に先立って当該外部メモリおよび前記内部メモリのそれぞれに前記識別データを記録して、当該外部メモリに対する当該記録データの記録中において、当該外部メモリが取り外されたときに当該内部メモリに前記記録データをバックアップさせると共に、前記外部メモリが装着されたときに当該外部メモリおよび当該内部メモリにそれぞれ記録されている前記識別データの同一性を判別する識別データ判別処理を実行して、両識別データが異なるときには装着された外部メモリが記録開始時に装着されていた外部メモリとは異なる旨を表示させ、両識別データが同一のときには前記内部メモリにバックアップさせた前記記録データを前記装着された外部メモリに記録する制御部とを備えていることを特徴とするディジタル式記録再生装置。
【請求項２】
前記識別データ生成部は、数値情報をランダムに発生させて前記識別データを生成することを特徴とする請求項１記載のディジタル式記録再生装置。
【請求項３】
前記記録データとしての音声データを記録および再生可能に構成されたディジタル式記録再生装置であって、
アナログ音声信号を入力する音声信号入力部と、前記アナログ音声信号をディジタルデータに変換すると共に当該ディジタルデータを圧縮して前記音声データを生成する音声データ生成部と、前記外部メモリに記録されている前記音声データを伸長させて前記ディジタルデータを生成すると共に当該ディジタルデータを前記アナログ音声信号に変換する音声信号生成部と、前記変換されたアナログ音声信号を増幅して出力する増幅回路とを備えていることを特徴とする請求項１または２記載のディジタル式記録再生装置。
【発明の詳細な説明】
【０００１】
【発明の属する技術分野】
本発明は、着脱自在に構成された外部メモリを記録媒体として記録データの記録および再生を実行可能に構成されたディジタル式記録再生装置に関するものである。
【０００２】
【従来の技術】
この種のディジタル式記録再生装置として、カード形リムーバブルメモリ（以下、「メモリカード」という）を記録媒体として使用する音声記録再生装置が存在する。この音声記録再生装置では、マイクを介して入力したアナログ音声信号をディジタル変換して音声データを生成し、その音声データをメモリカードに記録させる。この場合、この種の音声記録再生装置では、一般的に、メモリカードへの音声データの記録が完了した時点で、その音声データについてのＦＡＴ（File Allocation Table ）データをメモリカードのＦＡＴデータ記録領域に記録している。一方、音声再生の際には、ＦＡＴデータに従って音声データをメモリカードから読み出した後、その音声データをアナログ変換することによってアナログ音声信号を生成してスピーカまたはイヤホンから放音する。
【０００３】
【発明が解決しようとする課題】
ところが、この音声記録再生装置には、以下の問題点がある。すなわち、この音声記録再生装置では、音声再生の際には、最初にメモリカードから読み出したＦＡＴデータに従って音声データをメモリカードから読み出している。したがって、例えば、音声の再生開始から停止までの間に停止ボタンが操作されることなくメモリカードが強制的に取り外され、そのメモリカードとは異なるメモリカードが装着された場合、再生開始時点において装着されていたメモリカードから読み出したＦＡＴデータに従って、後に装着されたメモリカードから音声データを読み出す処理が開始される。しかし、この際には、ＦＡＴデータ自体が異なるため、音声データを読み出すことができないという問題が存在する。
【０００４】
また、通常、ＦＡＴデータは、音声データの記録完了時点でメモリカードに記録される。したがって、例えば音声データの記録開始から完了までの間に停止ボタンが操作されることなくメモリカードが強制的に取り外され、その後に異なるメモリカードが装着された場合、従来の音声記録再生装置は、その後に装着されたメモリカードに音声データを記録し続ける。また、録音停止の際に、既に取り外されたメモリカードに記録した音声データに対応するＦＡＴデータも、その後に装着されたメモリカードに記録した音声データに対応するＦＡＴデータと共に、後に装着されたメモリカードのＦＡＴデータ記録領域に記録される。このため、この音声記録再生装置には、実際に記録されている音声データとＦＡＴデータとの間に矛盾が生じる結果、記録した音声データを後に正常に読み出すことができないという問題も存在する。
【０００５】
この場合、再生開始時あるいは記録開始時に装着されていたメモリカードと、後に装着されたメモリカードとの同一性を判別できれば、例えば、同一のメモリカードのときには再生または記録を続行し、異なるメモリカードのときには所定のエラー処理を実行することが可能となる。
【０００６】
一方、特開平７−２０００００号公報には、装置本体のユーザ別識別コード格納メモリ（内部メモリ）に予め記録されたユーザ別識別コードを音声データと共に音声カートリッジ（メモリカード）に記録し、音声再生時には、音声データと共にユーザ別識別コードを音声カートリッジから読み出すと共に、そのユーザ別識別コードとユーザ別識別コード格納メモリから読み出したユーザ別識別コードとを比較することにより、その音声カートリッジと、音声データの記録時に装着されていた音声カートリッジとの同一性を判別するディジタル音声記録・再生装置が開示されている。しかし、このディジタル音声記録・再生装置では、膨大な数の装置本体の各々に対応して互いに異なるユーザ別識別コードを予め記録させておく必要があるため、ユーザ別識別コード自体が複雑で大きな容量のデータとなる。したがって、このユーザ別識別コードを記録するためにユーザ別識別コード格納メモリとして大容量メモリを用いる必要があり、製造コストの上昇を招くと共に、音声カートリッジの貴重なデータ記録可能領域が大容量のユーザ別識別コードによって占領されてしまうという問題が存在する。また、複雑かつ大容量のユーザ別識別コードに対する同一性の判別処理は、長時間を要し、かつ高度な判別プログラムと高性能な制御部とを必要とするという問題も存在する。
【０００７】
本発明は、かかる問題点に鑑みてなされたものであり、比較的簡易な構成でメモリカードを個別的に識別可能なディジタル式記録再生装置を提供することを目的とする。
【０００８】
【課題を解決するための手段】
上記目的を達成すべく本発明に係るディジタル式記録再生装置は、着脱自在な外部メモリを装着可能に構成されると共に、前記外部メモリへの記録データの記録、および当該外部メモリに記録された記録データに基づく再生を行うディジタル式記録再生装置であって、前記外部メモリを個別的に識別するための識別データを生成する識別データ生成部と、内部メモリと、前記外部メモリに対する前記記録データの記録に先立って当該外部メモリおよび前記内部メモリのそれぞれに前記識別データを記録して、当該外部メモリに対する当該記録データの記録中において、当該外部メモリが取り外されたときに当該内部メモリに前記記録データをバックアップさせると共に、前記外部メモリが装着されたときに当該外部メモリおよび当該内部メモリにそれぞれ記録されている前記識別データの同一性を判別する識別データ判別処理を実行して、両識別データが異なるときには装着された外部メモリが記録開始時に装着されていた外部メモリとは異なる旨を表示させ、両識別データが同一のときには前記内部メモリにバックアップさせた前記記録データを前記装着された外部メモリに記録する制御部とを備えていることを特徴とする。
【０００９】
この場合、前記識別データ生成部が、数値情報をランダムに発生させて前記識別データを生成することが好ましい。
【００１０】
さらに、前記記録データとしての音声データを記録および再生可能に構成し、アナログ音声信号を入力する音声信号入力部と、前記アナログ音声信号をディジタルデータに変換すると共に当該ディジタルデータを圧縮して前記音声データを生成する音声データ生成部と、前記外部メモリに記録されている前記音声データを伸長させて前記ディジタルデータを生成すると共に当該ディジタルデータを前記アナログ音声信号に変換する音声信号生成部と、前記変換されたアナログ音声信号を増幅して出力する増幅回路とを備えていることが好ましい。
【００１１】
【発明の実施の形態】
以下、添付図面を参照して、本発明に係るディジタル式記録再生装置を音声記録再生装置１に適用した実施の形態について説明する。
【００１２】
最初に、音声記録再生装置１の構成について、図面を参照して説明する。
【００１３】
図１に示す音声記録再生装置１は、携帯型ボイスレコーダであって、メモリカードＭを記録媒体として装着可能に構成されると共に、アナログ音声信号をディジタル変換して生成した音声データの記録、および、メモリカードＭに記録されている音声データをアナログ変換して生成したアナログ音声信号の再生などを実行する。この場合、メモリカードＭは、本発明における外部メモリに相当し、半導体素子を樹脂で封止した既存のカード形リムーバブルメモリが用いられ、識別用のＩＤデータＤIDや音声データＤｓなどを記録する。また、図２に示すように、メモリカードＭの記録領域は、音声データＤｓやＩＤデータＤIDを記録するデータ記録領域Ｍａと、データ記録領域Ｍａに記録されているデータについてのＦＡＴデータＤｆを記録するＦＡＴデータ記録領域Ｍｂとから構成されている。一方、音声記録再生装置１は、図１に示すように、音声信号入力部２、音声データ生成部３、ＩＤ生成部４、メモリインターフェース部５、音声信号生成部６、音声信号出力部７、操作部８、表示部９、制御部１０、ＥＥＰＲＯＭ１１、ＲＡＭ１２およびＲＯＭ１３を備えている。
【００１４】
音声信号入力部２は、音声を集音してアナログ音声信号ＳSIを出力するマイク２１と、入力したアナログ音声信号ＳSIを増幅して出力するアンプ２２ａと、増幅されたアナログ音声信号ＳSIを低域ろ波してアナログ音声信号Ｓｓを通過させるＬＰＦ２３とを備えている。
【００１５】
音声データ生成部３は、アナログ音声信号Ｓｓをディジタルデータに変換するＡ／Ｄ変換回路２４と、変換されたディジタルデータを圧縮して音声データ本体ＤSDを生成するデータ圧縮回路２５とを備えている。なお、音声データ本体ＤSDが本発明における音声データに相当する。ＩＤ生成部４は、本発明における識別データ生成部に相当し、制御部１０の制御下でランダムに発生させた例えば８ｂｉｔ（２５６種類）の数値情報をＩＤデータＤIDとして生成する。メモリインターフェース部５は、メモリカードＭを装着可能なコネクタを備えると共に、制御部１０の制御下でメモリカードＭに対する音声データＤｓの記録、およびメモリカードＭからの音声データＤｓの読出しを実行する。音声信号生成部６は、音声データ本体ＤSDを伸長させてディジタルデータに復号するデータ伸長回路２６と、そのディジタルデータをアナログ音声信号Ｓｓに変換するＤ／Ａ変換回路２７とを備えている。音声信号出力部７は、アナログ音声信号Ｓｓを所定の帯域でろ波してアナログ音声信号を生成するＢＰＦ２８と、ＢＰＦ２８から出力されたアナログ音声信号を増幅してアナログ音声信号ＳSOを出力するアンプ２２ｂと、アナログ音声信号ＳSOを放音するスピーカ２９とを備えている。また、音声記録再生装置１では、図示しないイヤホンジャックが配設されており、イヤホンジャックにイヤホンが接続されたときには、スピーカ２９に代えてイヤホンからアナログ音声信号ＳSOが放音される。
【００１６】
操作部８は、録音ボタン、再生ボタン、早送りボタン、巻き戻しボタン、停止ボタン、メニューボタンおよび電源ボタンなどを含む複数の操作ボタンが配列されて構成されている。表示部９は、ＬＣＤパネルで構成され、メモリカードＭの記録可能残容量、録音・再生開始からの経過時間、および図外のバッテリの残容量などを表示する。制御部１０は、例えば、１６ｂｉｔＣＰＵで構成され、音声信号入力部２、音声データ生成部３、ＩＤ生成部４、音声信号生成部６および音声信号出力部７に対する操作部８のボタン操作に応じた制御、メモリインターフェース部５を介してのメモリカードＭに対する音声データＤｓの記録制御、およびメモリカードＭからの音声データＤｓの読出制御などを実行する。ＥＥＰＲＯＭ１１は、本発明における内部メモリに相当し、音声記録再生装置１の初期設定値データＤｄ、およびＩＤ生成部４によって生成されたＩＤデータＤIDなどを記憶する。ＲＡＭ１２は、メモリカードＭに記録中の音声データＤｓに関するＦＡＴデータＤｆや、制御部１０の演算結果などを一時的に記憶する。また、ＲＯＭ１３は、制御部１０の動作プログラムを記憶する。
【００１７】
次に、音声記録再生装置１の全体的な動作について、各図を参照して説明する。
【００１８】
最初に、音声記録再生装置１の基本的動作について、図５を参照して説明する。同図に示すように、音声記録再生装置１では、基本的動作（メインルーチン）として、電源スイッチが投入されると、制御部１０が、ＥＥＰＲＯＭ１１から初期設定値データＤｄを読み出した後、各回路に対して初期設定を行うと共に初期画面（図示せず）を表示部９に表示させる（ステップ３１）。次いで、制御部１０は、メモリカードＭがメモリインターフェース部５に装着されているか否かを判別する（ステップ３２）。この際に、メモリカードＭが装着されていないと判別したときには、例えば「メモリカードが装着されていません」とのメッセージを表示部９に表示させる（ステップ３３）。一方、メモリカードＭが装着されていると判別したときには、メモリカードＭに既に記録されている音声データＤｓの属性データ、メモリカードＭの記録可能容量および記録可能残容量などのカード情報をメモリカードＭから取得してＲＡＭ１２に記憶させる（ステップ３４）。次に、取得したカード情報に含まれている記録可能残容量に基づいて算出した記録可能時間などのをメモリ情報を表示部９に表示させる（ステップ３５）。
【００１９】
この後、制御部１０は、メモリインターフェース部５からメモリカードＭが取り外されたか否かを監視し（ステップ３６）、メモリカードＭの取外しを検知したときには、再びメモリカードＭの装着状態を判別する（ステップ３２）。一方、メモリカードＭが装着されているときには、操作部８でのボタン操作を監視し（ステップ３７）、ボタン操作を検知したときには、操作されたボタンが録音ボタンであるか否かを判別する（ステップ３８）。録音ボタンのときには、後述する録音処理を実行し（ステップ３９）、メモリカードＭに音声データＤｓを記録した後に、表示部９に初期画面を再度表示させる（ステップ３１）。一方、録音ボタンではないときには、操作されたボタンが再生ボタンであるか否かを判別する（ステップ４０）。再生ボタンのときには、後述する再生処理を実行し（ステップ４１）、メモリカードＭから音声データＤｓを読み出して音声を再生した後に、表示部９に初期画面を再度表示させる（ステップ３１）。
【００２０】
再生ボタンではないときには、操作されたボタンがメニューボタンであるか否かを判別する（ステップ４２）。メニューボタンのときには、音声記録再生装置１の動作条件を設定する設定画面や補助機能を使用するための機能画面を選択するメニュー画面を表示部９に表示させ（ステップ４３）、操作部８のボタン操作に応じて、動作条件の設定などの各種設定処理を実行する（ステップ４４）。一方、操作されたボタンがメニューボタンではないときには、そのボタンが電源ボタンであるか否かを判別する（ステップ４５）。電源ボタンのときには、表示部９の表示画面を消去して電源を遮断する。
【００２１】
次に、上記した録音処理（ステップ３９）について、図３，６を参照して説明する。この処理では、まず、ＩＤ生成部４が、制御部１０の制御下でＩＤデータＤIDを生成する（ステップ５１）。次に、制御部１０が、ＥＥＰＲＯＭ１１におけるデータ記録領域の例えば最終記録領域と、メモリカードＭにおけるデータ記録領域Ｍａの例えば最終記録領域とに、生成したＩＤデータＤIDをそれぞれ記録する（ステップ５２）。次いで、制御部１０は、音声信号入力部２および音声データ生成部３を介して入力した音声データ本体ＤSDに基づいて音声データＤｓを生成する（ステップ５３）。具体的には、アンプ２２ａが、マイク２１を介して入力したアナログ音声信号ＳSIを増幅し、ＬＰＦ２３が、アナログ音声信号ＳSIをろ波してアナログ音声信号Ｓｓを出力する。次に、Ａ／Ｄ変換回路２４が、制御部１０の制御下でアナログ音声信号Ｓｓをディジタルデータに変換し、データ圧縮回路２５が、そのディジタルデータを圧縮して音声データ本体ＤSDを生成する。次いで、制御部１０が、記録ファイル名やファイルの記録日などのヘッダ情報ＤSHを音声データ本体ＤSDに付加することにより、音声データＤｓを生成する。次いで、制御部１０は、その音声データＤｓをＲＡＭ１２に一時的に記憶させる。この場合、記録開始時点では、図３に示すように、制御部１０は、音声データＤｓとして、その音声データ本体ＤSDについてのヘッダ情報ＤSHを先頭の１バイトから９０バイトに付加し、９１バイト以降に音声データ本体ＤSDを付加してＲＡＭ１２に記憶させる。
【００２２】
この後、制御部１０は、停止ボタンが操作されるまでの間、音声データＤｓの生成を継続して実行する。この間において、制御部１０は、ＲＡＭ１２から音声データＤｓを読み出してメモリインターフェース部５を介してメモリカードＭのデータ記録領域Ｍａに順次記録する（ステップ５４）。この際に、制御部１０は、メモリカードＭに記録した音声データＤｓについてのＦＡＴデータＤｆをＲＡＭ１２の記録領域内に順次記録する。音声データＤｓの記録中において、制御部１０は、停止ボタンの操作によって記録が停止されたか否かを判別し（ステップ５５）、停止されていないときには、メモリインターフェース部５からメモリカードＭが取り外されたか否かを判別する（ステップ５６）。取り外されていないときには、制御部１０は、音声データＤｓの生成（ステップ５３）と、メモリカードＭへの記録（ステップ５４）とを繰り返して実行することにより、マイク２１で集音した音声に対応する音声データＤｓをメモリカードＭのデータ記録領域Ｍａに順次記録する。
【００２３】
一方、ステップ５６において、メモリカードＭが取り外されたと判別したときには、制御部１０は、音声データＤｓの記録を中断すると共に（ステップ５７）、例えば「メモリカードが取り外されました。メモリカードを装着して下さい。」とのエラーメッセージを表示部９に表示させる（ステップ５８）。
【００２４】
次に、制御部１０は、メモリインターフェース部５にメモリカードＭが装着されたか否かを監視し（ステップ５９）、メモリカードＭが未装着のときには、メモリカードＭが取り外されてから所定時間（例えば３０秒）が経過したか否かを判別する（ステップ６０）。所定時間を経過したときには、音声データＤｓの記録を続行する意志がオペレータにないと考えられるため、制御部１０は、ＲＡＭ１２に記録した音声データＤｓ、およびＦＡＴデータＤｆを消去すると（ステップ６１）共に、録音を続行することができない旨を表示部９に表示させた後に（ステップ６２）、メインルーチンに戻って初期画面を表示部９に表示させる（ステップ３１）。
【００２５】
一方、ステップ５９において、メモリカードＭが装着されたと判別したときには、制御部１０は、装着されたメモリカードＭと、記録開始時に装着されていたメモリカードＭとの同一性を判別する。具体的には、制御部１０は、最初に、ＲＡＭ１２に記録した音声データＤｓのヘッダ情報ＤSHと、メモリカードＭに記録されている音声データＤｓのヘッダ情報ＤSHとを読み出し、両ヘッダ情報ＤSHを比較することにより、両音声データＤｓのファイル属性が同一か否かを判別する（ステップ６３）。この場合、ファイル属性が異なるときには、装着されたメモリカードＭが記録開始時に装着されていたメモリカードＭとは異なるものと判別し、異なるメモリカードＭが装着された旨を表示部９に表示させる（ステップ６４）。この際には、所定時間が経過するまでは（ステップ６０）、メモリカードＭの装着を繰り返して判別する（ステップ５９）。
【００２６】
一方、ファイル属性が同一のときには（ステップ６３）、制御部１０は、ＥＥＰＲＯＭ１１に記録したＩＤデータＤIDと、装着されたメモリカードＭに記録されているＩＤデータＤIDとを読み出し、両ＩＤデータＤIDが同一か否かを判別する（ステップ６３）。両ＩＤデータＤIDが異なるときには、装着されたメモリカードＭが、記録開始時に装着されていたメモリカードＭとは異なるものと判別して（ステップ６３）、異なるメモリカードＭが装着された旨を表示部９に表示させ（ステップ６４）、所定時間が経過するまでは（ステップ６０）、メモリカードＭの装着を繰り返して判別する（ステップ５９）。一方、両ＩＤデータＤIDが同一のときには、音声データＤｓを生成すると共に（ステップ５３）、装着されたメモリカードＭに対する音声データＤｓの記録を再開する（ステップ５４）。この後、停止ボタンが操作されたときには（ステップ５５）、ＲＡＭ１２の記録領域内に一時的に記録したＦＡＴデータＤｆをメモリカードＭのＦＡＴデータ記録領域Ｍｂに記録する（ステップ６５）。これにより、録音処理が完了し、メインルーチンを繰り返して実行する（ステップ３１）。
【００２７】
このように、この音声記録再生装置１によれば、ＩＤ生成部４によって生成されたＩＤデータＤIDを、音声データＤｓの記録に先立ってＥＥＰＲＯＭ１１およびメモリカードＭの両者に記録しておくことにより、停止ボタンが操作されることなくメモリカードＭがメモリインターフェース部５から強制的に取り外されたときであっても、再装着されたメモリカードＭと、記録開始時に装着されていたメモリカードＭとの同一性を精度よく判別することができる。したがって、両メモリカードＭが同一のときには、再装着されたメモリカードＭに対して音声データＤｓの記録を続行することができる。また、メモリカードＭの同一性を判別する際に、ＩＤデータＤIDの比較に先立って音声データＤｓのヘッダ情報ＤSHに含まれる属性データを比較することにより、より確実にメモリカードＭの同一性を判別することができる。
【００２８】
次いで、上記した再生処理（ステップ４１）について、図７を参照して説明する。この処理では、制御部１０が、装着されているメモリカードＭからＩＤデータＤIDを読み出してＲＡＭ１２に一時的に記憶させる（ステップ７１）。次に、アナログ音声信号Ｓｓの生成および音声の再生が行われる（ステップ７２）。具体的には、制御部１０が、メモリカードＭから音声データＤｓを読み出すと共に、その音声データＤｓからヘッダ情報ＤSHを取り除いた音声データ本体ＤSDをデータ伸長回路２６に転送する。次いで、データ伸長回路２６が、音声データ本体ＤSDを伸長させてディジタルデータを生成し、Ｄ／Ａ変換回路２７が、そのディジタルデータをアナログ音声信号Ｓｓに変換する。続いて、ＢＰＦ２８が、アナログ音声信号Ｓｓをろ波し、アンプ２２ｂが、ろ波されたアナログ音声信号Ｓｓを増幅してアナログ音声信号ＳSO生成してスピーカ２９から放音させる。この結果、音声データＤｓに基づく音声が再生される。
【００２９】
この場合、制御部１０は、音声再生中において、停止ボタンの操作によって再生が停止されたか否かを判別し（ステップ７３）、停止させられていないときには、メモリインターフェース部５からメモリカードＭが取り外されたか否かを判別する（ステップ７４）。メモリカードＭが装着されているときには、音声の再生を続行する（ステップ７２）。一方、例えば過誤によってメモリカードＭが取り外されたときには、制御部１０は、音声信号生成部６によるアナログ音声信号Ｓｓの生成を中断させると共に（ステップ７５）、例えば「メモリカードが取り外されました。メモリカードを装着して下さい。」とのエラーメッセージを表示部９に表示させる（ステップ７６）。
【００３０】
次に、制御部１０は、メモリカードＭが装着されたか否かを判別し（ステップ７７）、装着されていないときには、メモリカードＭが取り外されてから所定時間（例えば３０秒）が経過したか否かを判別する（ステップ７８）。所定時間を経過したときには、音声データＤｓの再生を続行する意志がオペレータにないと考えられるため、制御部１０は、ＲＡＭ１２に読み込んだＩＤデータＤIDを消去する（ステップ７９）。次いで、再生を続行することができない旨を表示部９に表示させた後（ステップ８０）、メインルーチンに戻って初期画面を表示部９に表示させる（ステップ３１）。
【００３１】
また、ステップ７７において、メモリカードＭが装着されたと判別したときには、制御部１０は、装着されたメモリカードＭと、再生開始時に装着されていたメモリカードＭとの同一性を判別する。具体的には、制御部１０は、最初に、ＲＡＭ１２に記録したＩＤデータＤIDと、メモリインターフェース部５に装着されたメモリカードＭにおけるデータ記録領域Ｍａに記録されたＩＤデータＤIDとを読み出し、両ＩＤデータＤIDが同一であるか否かを判別する（ステップ８１）。この際に、両ＩＤデータＤIDが異なるときには、装着されたメモリカードＭが、再生開始時に装着されていたメモリカードＭとは異なるものと判別し、異なるメモリカードＭが装着された旨を表示部９に表示させ（ステップ８２）、所定時間が経過するまでは（ステップ７８）、メモリカードＭの装着を繰り返して判別する（ステップ７７）。一方、両ＩＤデータＤIDが同一のときには、そのメモリカードＭから音声データＤｓを読み出して音声の音声信号生成部６によるアナログ音声信号Ｓｓの生成を再開する（ステップ７２）。この後、停止ボタンが操作されたときには（ステップ７３）、ＲＡＭ１２に記録したＩＤデータＤIDを消去する（ステップ８３）。これにより、再生処理が完了し、メインルーチンを繰り返して実行する（ステップ３１）。
【００３２】
このように、この音声記録再生装置１によれば、音声データＤｓのメモリカードＭへの記録時に、ＩＤ生成部４によって生成されたＩＤデータＤIDをメモリカードＭに記録しておくことにより、音声の再生時には、停止ボタンが操作されることなくメモリカードＭがメモリインターフェース部５から強制的に取り外されたときであっても、再装着されたメモリカードＭと、再生開始時に装着されていたメモリカードＭとの同一性を精度よく判別することができる。したがって、両メモリカードＭが同一のときには、再装着されたメモリカードＭに記録されている音声データＤｓに基づいて音声の再生を続行することができる。
【００３３】
次に、上記した録音処理（ステップ３９）に代えて他の方式によって行う録音処理（ステップ３９ａ）について、図４，８を参照して説明する。この処理では、制御部１０は、録音ボタンのボタン操作を検知したときに、上記した録音処理のステップ５１〜５５と同様にして、メモリカードＭおよびＥＥＰＲＯＭ１１にＩＤデータＤIDを記録させた後に音声データＤｓをメモリカードＭに記録させる。一方、この録音処理を採用する場合、図４に示すように、ＥＥＰＲＯＭ１１のデータ記録領域１１ａは、初期設定値データＤｄの記録領域、音声データＤｓのバックアップ領域およびＩＤデータＤIDの記録領域に予め分割される。また、ＩＤデータＤIDは、上記した録音処理時と同様にして、データ記録領域１１ａの最終記録領域に記録される。
【００３４】
この処理では、制御部１０が、メモリカードＭが取り外されたか否かを判別し（ステップ５６）、取り外されたときには、例えばＥＥＰＲＯＭ１１の音声データＤｓのバックアップ領域の先頭記録領域に、メモリカードＭが取り外された旨を示すフラグを記録する（ステップ９１）。次に、制御部１０は、例えば「メモリカードが取り外されました。メモリカードを装着して下さい。」とのエラーメッセージを表示部９に表示させると共に生成した音声データＤｓをＥＥＰＲＯＭ１１のデータ記録領域１１ａに記録する（ステップ９２）。次いで、メモリカードＭが装着されたか否かを判別し（ステップ９３）、メモリカードＭが未装着のときには、データ記録領域１１ａのバックアップ領域に記録可能残容量が存在するか否かを判別する（ステップ９４）。存在するときには、エラーメッセージの表示、および生成した音声データＤｓのバックアップ領域への記録を実行する（ステップ９２）。一方、記録可能残容量がなくなったときには（ステップ９４）、ＲＡＭ１２に記録した音声データＤｓおよびＦＡＴデータＤｆ、並びにＥＥＰＲＯＭ１１のバックアップ領域に記録した音声データＤｓなどを消去して（ステップ９５）、録音続行不可の旨を表示部９に表示させた後に（ステップ９６）、メインルーチンに戻って初期画面を表示部９に表示させる（ステップ３１）。
【００３５】
一方、ステップ９３において、メモリカードＭが装着されたと判別したときには、制御部１０は、上記した再生処理（ステップ４１）のステップ８１と同様にしてヘッダ情報ＤSHおよびＩＤデータＤIDの同一性を判別することにより（ステップ９７）、装着されたメモリカードＭと、記録開始時に装着されていたメモリカードＭとの同一性を判別する。両ヘッダ情報ＤSHおよび両ＩＤデータＤIDの少なくとも一方が同一でないときには、制御部１０は、異なるメモリカードＭが装着された旨を表示部９に表示させ（ステップ９８）、記録可能残容量が存在する限り（ステップ９４）、エラーメッセージの表示、および生成した音声データＤｓのバックアップ領域への記録を実行する（ステップ９２）。一方、両ヘッダ情報ＤSHおよび両ＩＤデータＤIDが共に同一のときには、音声データＤｓを生成すると共に（ステップ５３）、装着されたメモリカードＭに対する音声データＤｓの記録を再開する（ステップ５４）。この後、停止ボタンが操作されたときには（ステップ５５）、制御部１０は、ＥＥＰＲＯＭ１１にメモリカードＭが取り外された旨を示すフラグが記録されているか否かを判別する（ステップ９９）。この際に、フラグが記録されていないときには、ＲＡＭ１２に一時的に記録したＦＡＴデータＤｆをメモリカードＭのＦＡＴデータ記録領域Ｍｂに記録させる（ステップ１００）、これにより、録音処理が完了し、メインルーチンを繰り返して実行する（ステップ３１）。
【００３６】
一方、上記したステップ９９においてフラグが記録されているときには、制御部１０は、ＥＥＰＲＯＭ１１のバックアップ領域に記録した音声データＤｓをメモリカードＭに転送して、メモリカードＭ内の音声データＤｓを欠落させることなく復元する（ステップ１０１）。この後、ＲＡＭ１２に一時的に記録したＦＡＴデータＤｆをメモリカードＭのＦＡＴデータ記録領域Ｍｂに記録させる（ステップ１００）。これにより、録音処理が完了し、メインルーチンを繰り返して実行する（ステップ３１）。
【００３７】
このように、この音声記録再生装置１によれば、停止ボタンが操作されることなくメモリカードＭがメモリインターフェース部５から強制的に取り外されたときであっても、再装着されたメモリカードＭと、記録開始時に装着されていたメモリカードＭとの同一性を精度よく判別することができる。このため、同一のメモリカードＭが再装着されたときには、ＥＥＰＲＯＭ１１のバックアップ領域にバックアップした音声データＤｓをメモリカードＭに転送して音声データＤｓを欠落させることなく復元することもできる。したがって、録音中にメモリカードＭが取り外された場合であっても、音声データＤｓの記録が欠落することがないため、再生時には、音声データＤｓに基づいて音声を再生することができる。
【００３８】
なお、本発明の実施の形態では、録音ボタンが操作された直後にＩＤデータＤIDをメモリカードＭおよびＥＥＰＲＯＭ１１に記録する例について説明したが、例えば、メモリカードＭに対する音声データＤｓの記録が完了した時点でＩＤデータＤIDをメモリカードＭおよびＥＥＰＲＯＭ１１に記録させてもよい。この場合にも、音声データＤｓの記録が正常に完了した状態では、その音声データＤｓに基づく音声の再生時においてメモリカードＭの強制的な取外しおよび再装着が行われたときにも、再生開始時に装着されていたメモリカードＭと、メモリインターフェース部５に装着されているメモリカードＭとの同一性を判別することができる。
【００３９】
また、本発明は、上記した発明の実施の形態に限らず、適宜変更が可能である。例えば、本発明の実施の形態では、ランダムに発生させた８ｂｉｔの数値情報をＩＤデータＤIDとして記録する例について説明したが、本発明における識別データは、これに限定されず、４〜３２ｂｉｔの識別データをＩＤデータＤIDとして用いることができる。この場合、複数のメモリカードＭの選択的使用を前提とした音声記録再生装置１では、そのメモリカードＭを個別的に識別可能とするためにＩＤデータＤIDが４ｂｉｔ以上であることが好ましい。また、３２ｂｉｔ以上のＩＤデータＤIDは、その生成や判別処理に若干の時間を要すると共に、ＩＤデータＤIDが複雑化して、それに伴って識別用のプログラムも複雑化する。このため、４ｂｉｔから１６ｂｉｔの範囲内のＩＤデータＤIDを用いるのが好ましい。さらに、制御部１０を構成するＣＰＵの処理能力に応じて、例えば、８ｂｉｔＣＰＵならば８ｂｉｔ以内のＩＤデータＤIDを生成し、１６ｂｉｔＣＰＵならば１６ｂｉｔ以内のＩＤデータＤIDを生成することにより、そのＩＤデータＤIDに基づく判別処理を高速に実行することが可能となる。
【００４０】
また、本発明の実施の形態では、音声データＤｓを記録する例について説明したが、本発明における記録データは、音声データＤｓに限定されず、映像データや数値データおよびテキストデータなどの各種ディジタルデータであってもよいのは勿論である。また、本発明における音声データＤｓには、マイク２１を介して集音したアナログ音声信号Ｓｓをディジタル変換した音声データＤｓに限らず、例えば音声信号入力端子を介して入力した音声信号に基づく音声データや、通信端末を介して取得した音声データなどが含まれる。さらに、本発明における外部メモリについても、メモリカードＭのみならず、棒状、駒状のメモリや、ディスク形のディジタルデータ記録媒体など、各種のリームーバブルメモリが含まれる。また、本発明における内部メモリについても、ＥＥＰＲＯＭ１１に限らず、ＲＡＭなどの書込みおよび読出しが可能な各種メモリを採用することができる。加えて、識別データおよび記録データを記録する内部メモリをそれぞれ別個独立して使用することもできる。
【００４１】
【発明の効果】
以上のように、本発明に係るディジタル式記録再生装置によれば、識別データを生成する識別データ生成部と内部メモリとを備え、制御部が、外部メモリに対する記録データの記録に先立って外部メモリおよび内部メモリのそれぞれに識別データを記録して、外部メモリに対する記録データの記録中において、外部メモリが取り外されたときに内部メモリに記録データをバックアップさせると共に、外部メモリが装着されたときに外部メモリおよび内部メモリにそれぞれ記録されている識別データの同一性を判別する識別データ判別処理を実行して、両識別データが異なるときには装着された外部メモリが記録開始時に装着されていた外部メモリとは異なる旨を表示させ、両識別データが同一のときには内部メモリにバックアップさせた記録データを装着された外部メモリに記録することにより、記録中に外部メモリが取り外された場合であっても、同一の外部メモリの再装着までの間の記録データを欠落させることなく、この外部メモリに記録データを記録することができる。
【００４２】
また、請求項２記載のディジタル式記録再生装置によれば、ランダムに発生させた数値情報を識別データとして生成する識別データ生成部を備えたことにより、例えば、複雑に暗号化した暗号化データを識別データとして使用する方式と比較して、識別データの生成処理、およびその識別データに基づく同一性の判別処理に要する時間を短縮することができると共に、比較的簡易な構成でありながら外部メモリの同一性を確実に判別することができるディジタル式記録再生装置を提供することができる。
【００４３】
さらに、請求項３記載のディジタル式記録再生装置によれば、連続的かつ長時間に亘って音声データが記録され、しかも外部メモリが誤って取り外される可能性の高いボイスレコーダなどに本発明に係るディジタル式記録再生装置を適用して音声データの記録および再生を可能に構成することにより、外部メモリの取外しおよび再装着が行われた際に、外部メモリの同一性を確実かつ容易に判別することができるため、同一の外部メモリからの音声データの連続的な読出し、および同一の外部メモリに対する音声データの記録が可能となる。
【図面の簡単な説明】
【図１】本発明の実施の形態に係る音声記録再生装置１の構成を示すブロック図である。
【図２】音声記録再生装置１に装着されるメモリカードＭにおける記録領域の一例を示す領域マップ図である。
【図３】音声データＤｓの構成の一例を示す構成マップ図である。
【図４】音声記録再生装置１のＥＥＰＲＯＭ１１における記録領域の他の一例を示す領域マップ図である。
【図５】音声記録再生装置１におけるメインルーチンのフローチャートである。
【図６】音声記録再生装置１における録音処理のフローチャートである。
【図７】音声記録再生装置１における再生処理のフローチャートである。
【図８】音声記録再生装置１における他の録音処理のフローチャートである。
【符号の説明】
１  音声記録再生装置
２  音声信号入力部
３  音声データ生成部
４  ＩＤ生成部
５  メモリインターフェース部
６  音声信号生成部
７  音声信号出力部
１０  制御部
１１  ＥＥＰＲＯＭ
２１  マイク
２２ａ，２２ｂ  アンプ
２４  Ａ／Ｄ変換回路
２５  データ圧縮回路
２６  データ伸長回路
２７  Ｄ／Ａ変換回路
２９  スピーカ
Ｄｆ  ＦＡＴデータ
ＤID  ＩＤデータ
Ｄｓ  音声データ
Ｍ  メモリカード
Ｓｓ，ＳSI，ＳSO  アナログ音声信号
【図１】
0003585816.tif 000002
【図２】
0003585816.tif 000003
【図３】
0003585816.tif 000004
【図４】
0003585816.tif 000005
【図５】
0003585816.tif 000006
【図６】
0003585816.tif 000007
【図７】
0003585816.tif 000008
【図８】
0003585816.tif 000009